(57)【要約】【課題】電力低減システム及び印刷機において、簡単な構成で停止中の印刷機が消費する電力を低減可能とする。【解決手段】主機用電源４１と、主機用電源４１と各ユニットＵ１〜Ｕ５、ウェブパスユニットＤ１、折ユニットＦ１との間に設けられるコンバータ盤４４と、コンバータ盤４４を制御する制御装置５１とを設け、コンバータ盤４４として、印刷機１０を運転可能な第１電力を供給する第１電力供給ラインと、第１電力より低い第２電力を供給する第２電力供給ラインと、第１電力供給ラインと第２電力供給ラインを切替える切替装置５３とを設け、制御装置５１は、印刷機１０の運転停止状態に応じて切替装置５３を制御する。【選択図】図１
2015082934.tif 000002
【特許請求の範囲】
【請求項１】
電源部と、
前記電源部と印刷機の主機盤との間に設けられるコンバータ装置と、
前記コンバータ装置を制御する制御装置と、
を有し、
前記コンバータ装置は、
前記印刷機を運転可能な第１電力を前記主機盤に供給する第１電力供給ラインと、
前記コンバータ装置から前記主機盤への電力を切断することなく前記第１電力より低い第２電力を前記主機盤に供給する第２電力供給ラインと、
前記第１電力供給ラインと前記第２電力供給ラインを切替える切替装置と、
を有し、
前記制御装置は、前記印刷機の運転停止状態に応じて前記切替装置を制御する、
ことを特徴とする電力低減システム。
【請求項２】
前記印刷機の運転状態と停止状態を検出する運転停止監視装置が設けられ、前記制御装置は、前記印刷機が停止状態であるとき、前記切替装置により前記第１電力供給ラインから前記第２電力供給ラインに切替えることを特徴とする請求項１に記載の電力低減システム。
【請求項３】
前記制御装置は、前記印刷機が停止してから無操作状態が予め設定された所定時間だけ経過したとき、前記切替装置により前記第１電力供給ラインから前記第２電力供給ラインに切替えることを特徴とする請求項２に記載の電力低減システム。
【請求項４】
前記制御装置は、前記印刷機の運転操作ボタンをＯＮされたとき、前記切替装置により前記第２電力供給ラインから前記第１電力供給ラインに切替えることを特徴とする請求項２または請求項３に記載の電力低減システム。
【請求項５】
前記印刷機の駆動装置の駆動を禁止するインターロック装置が設けられ、前記制御装置は、前記切替装置により前記第２電力供給ラインに切替えられているとき、前記インターロック装置を作動することを特徴とする請求項１から請求項４のいずれか一項に記載の電力低減システム。
【請求項６】
前記コンバータ装置は、前記第１電力供給ラインを構成する半導体スイッチング素子と、前記第２電力供給ラインを構成する還流ダイオードを有することを特徴とする請求項１から請求項５のいずれか一項に記載の電力低減システム。
【請求項７】
前記コンバータ装置は、前記還流ダイオードを通して前記印刷機のいつでも運転可能な状態を維持するために必要な前記第２電力としての最低レベル電力を出力することを特徴とする請求項６に記載の電力低減システム。
【請求項８】
前記コンバータ装置は、前記第２電力供給ラインを通して前記第２電力を供給するとき、高調波電流が高調波環境目標レベルより低い値とすることを特徴とする請求項６または請求項７に記載の電力低減システム。
【請求項９】
前記切替装置は、高調波電流が高調波環境目標レベル以上となるとき、前記第２電力供給ラインから前記第１電力供給ラインに切替えることを特徴とする請求項８に記載の電力低減システム。
【請求項１０】
前記制御装置は、前記切替装置により前記第２電力供給ラインに切替えられているとき、前記印刷機に接続されている主機または補機の作動を制限することを特徴とする請求項１から請求項９のいずれか一項に記載の電力低減システム。
【請求項１１】
ウェブに対して印刷を行う複数の印刷ユニットを有する印刷装置と、
印刷後の前記複数のウェブを重ね合せて搬送するウェブパス装置と、
重ね合せられた複数の前記ウェブを折り畳む折機と、
請求項１から請求項１０のいずれか一項に記載の電力低減システムと、
を有することを特徴とする印刷機。
【請求項１２】
前記印刷装置と前記ウェブパス装置と前記折機は、それぞれ主機盤が接続され、前記複数の主機盤が互いに接続されて前記コンバータ装置が複数接続されることを特徴とする請求項１１に記載の印刷機。
【請求項１３】
前記印刷装置と前記ウェブパス装置と前記折機は、それぞれ主機盤が接続され、前記複数の主機盤がブロック単位で互いに接続され、前記ブロックごとの前記主機盤に前記コンバータ装置が接続されることを特徴とする請求項１１に記載の印刷機。
【請求項１４】
前記ウェブパス装置及び前記折機は、複数設けられ、複数の印刷物を印刷可能であることを特徴とする請求項１１から請求項１３のいずれか一項に記載の印刷機。
【請求項１５】
別の印刷機における印刷ユニットと接続可能であることを特徴とする請求項１１から請求項１４のいずれか一項に記載の印刷機。
【発明の詳細な説明】
【技術分野】
【０００１】
本発明は、停止中の印刷機が消費する電力を低減可能とする電力低減システム、並びに、この電力低減システムが適用される印刷機に関するものである。
【背景技術】
【０００２】
例えば、新聞用オフセット輪転印刷機は、給紙装置と印刷装置とウェブパス装置と折機とから構成されている。そして、各装置は、多数の駆動用モータを有しており、新聞用オフセット輪転印刷機の運転中は、電源部からコンバータ装置を経由し、各主機盤から各駆動用モータに電力を供給している。一方、新聞用オフセット輪転印刷機の停止中であっても、いつでも運転できる状態を維持するために、各主機盤内の制御装置へは電力を供給する必要があり、コンバータ装置によりスイッチング制御を行い、各主機盤から各駆動用モータに電力を供給している。そのため、新聞用オフセット輪転印刷機は、停止中にもコンバータ装置の内部で電力消費が発生してしまう。
【０００３】
待機電力を低減するものとして、例えば、下記特許文献１に記載されたものがある。特許文献１に記載された待機電力低減回路付き電源装置は、コンデンサーと二つの並列抵抗とを並列回路としてスナバ回路を構成し、一方の抵抗と直列に接続された待機モード投入信号によりオフとなるスイッチを設け、動作モードにおけるスナバ回路が二つの抵抗を並列に接続し、待機モードのスイッチが投入された場合、並列抵抗のうちの一方の抵抗が待機モード投入信号により抵抗と直列接続されたスイッチを自動的にオフとして電力の消費を少なくしている。
【先行技術文献】
【特許文献】
【０００４】
【特許文献１】特開２００５−２４５１６１号公報
【発明の概要】
【発明が解決しようとする課題】
【０００５】
上述した従来の待機電力低減回路付き電源装置にあっては、コンデンサーと二つの並列抵抗とを並列回路としてスナバ回路を構成していることから、回路が複雑化して製造コストが増加してしまうという問題がある。
【０００６】
本発明は、上述した課題を解決するものであり、簡単な構成で停止中の印刷機が消費する電力を低減可能とする電力低減システム及び印刷機を提供することを目的とする。
【課題を解決するための手段】
【０００７】
上述の目的を達成するための本発明の電力低減システムは、電源部と、前記電源部と印刷機の主機盤との間に設けられるコンバータ装置と、前記コンバータ装置を制御する制御装置と、を有し、前記コンバータ装置は、前記印刷機を運転可能な第１電力を前記主機盤に供給する第１電力供給ラインと、前記コンバータ装置から前記主機盤への電力を切断することなく前記第１電力より低い第２電力を前記主機盤に供給する第２電力供給ラインと、前記第１電力供給ラインと前記第２電力供給ラインを切替える切替装置と、を有し、前記制御装置は、前記印刷機の運転停止状態に応じて前記切替装置を制御する、ことを特徴とするものである。
【０００８】
従って、印刷機を運転可能な第１電力を主機盤に供給する第１電力供給ラインと、コンバータ装置から主機盤への電力を切断することなく第１電力より低い第２電力を主機盤に供給する第２電力供給ラインとを設け、制御装置は、印刷機の運転停止状態に応じて切替装置により第１電力供給ラインと第２電力供給ラインを切替えるようにしている。そのため、印刷機の運転停止状態に応じて使用することができる電力を増減することで消費電力を低減することができる。その結果、簡単な構成で停止中の印刷機が消費する電力を低減することができる。
【０００９】
本発明の電力低減システムでは、前記印刷機の運転状態と停止状態を検出する運転停止監視装置が設けられ、前記制御装置は、前記印刷機が停止状態であるとき、前記切替装置により前記第１電力供給ラインから前記第２電力供給ラインに切替えることを特徴としている。
【００１０】
従って、運転停止監視装置が印刷機の停止状態を検出したとき、制御装置は、切替装置により第２電力供給ラインに切替えることとなり、印刷機の待機電力を低減することができる。
【００１１】
本発明の電力低減システムでは、前記制御装置は、前記印刷機が停止してから無操作状態が予め設定された所定時間だけ経過したとき、前記切替装置により前記第１電力供給ラインから前記第２電力供給ラインに切替えることを特徴としている。
【００１２】
従って、制御装置は、印刷機が停止してから無操作状態が所定時間だけ経過したとき、第２電力供給ラインに切替えることとなり、作業者が印刷機の運転停止状態を判断する必要はなく、自動的に第２電力供給ラインに切替えることで、作業性を向上することができる。
【００１３】
本発明の電力低減システムでは、前記制御装置は、前記印刷機の運転操作ボタンがＯＮされたとき、前記切替装置により前記第２電力供給ラインから前記第１電力供給ラインに切替えることを特徴としている。
【００１４】
従って、印刷機の運転操作ボタンがＯＮされると、制御装置は、第１電力供給ラインに切替えることで、印刷機を運転可能な第１電力に容易に復帰させることができる。
【００１５】
本発明の電力低減システムでは、前記印刷機の駆動装置の駆動を禁止するインターロック装置が設けられ、前記制御装置は、前記切替装置により前記第２電力供給ラインに切替えられているとき、前記インターロック装置を作動することを特徴としている。
【００１６】
従って、制御装置は、第２電力供給ラインに切替えられているとき、インターロック装置により駆動装置の駆動を禁止するため、急激な電力消費を抑制して高調波電流の発生を抑制することができる。
【００１７】
本発明の電力低減システムでは、前記コンバータ装置は、前記第１電力供給ラインを構成する半導体スイッチング素子と、前記第２電力供給ラインを構成する還流ダイオードを有することを特徴としている。
【００１８】
従って、第１電力供給ラインを半導体スイッチング素子とし、第２電力供給ラインを還流ダイオードとすることで、簡単な構成でスイッチング回路とブリッジ回路を構成することができ、低コスト化を可能とすることができると共に、高調波電流の発生を抑制することができる。
【００１９】
本発明の電力低減システムでは、前記コンバータ装置は、前記還流ダイオードを通して前記印刷機のいつでも運転可能な状態を維持するために必要な前記第２電力としての最低レベル電力を出力することを特徴としている。
【００２０】
従って、還流ダイオードが印刷機のいつでも運転可能な状態を維持するために必要な最低レベル電力を出力することで、印刷機の待機電力を低減することができる。
【００２１】
本発明の電力低減システムでは、前記コンバータ装置は、前記第２電力供給ラインを通して前記第２電力を供給するとき、高調波電流が高調波環境目標レベルより低い値とすることを特徴としている。
【００２２】
従って、印刷機の停止時に発生する高調波電流を抑制することができる。
【００２３】
本発明の電力低減システムでは、前記切替装置は、高調波電流が高調波環境目標レベル以上となるとき、前記第２電力供給ラインから前記第１電力供給ラインに切替えることを特徴としている。
【００２４】
従って、高調波電流が高調波環境目標レベル以上となるとき、第１電力供給ラインに切替えることで、コンバータ装置により高調波電流の発生を抑制することができる。
【００２５】
本発明の電力低減システムでは、前記制御装置は、前記切替装置により前記第２電力供給ラインに切替えられているとき、前記印刷機に接続されている主機または補機の作動を制限することを特徴としている。
【００２６】
従って、印刷機の停止時に、主機または補機の作動を制限することで、この点においても印刷機の待機電力の発生を抑制することができる。
【００２７】
また、本発明の印刷機は、ウェブに対して印刷を行う複数の印刷ユニットを有する印刷装置と、印刷後の前記複数のウェブを重ね合せて搬送するウェブパス装置と、重ね合せられた複数の前記ウェブを折り畳む折機と、前記電力低減システムと、を有することを特徴とするものである。
【００２８】
従って、印刷機の運転停止状態に応じて第１電力供給ラインと第２電力供給ラインを切替えるため、印刷機の運転停止状態に応じて使用することができる電力を増減することで消費を低減することができる。その結果、簡単な構成で停止中の印刷機が消費する電力を低減することができる。
【００２９】
本発明の印刷機では、前記印刷装置と前記ウェブパス装置と前記折機は、それぞれ主機盤が接続され、前記複数の主機盤が互いに接続されて前記コンバータ装置が複数接続されることを特徴としている。
【００３０】
従って、複数の主機盤に対してコンバータ装置をそれぞれ接続することで、コンバータ装置の容量不足を補うことができると共に、コンバータ装置のバックアップ機能を確保して安全性を向上することができる。
【００３１】
本発明の印刷機では、前記印刷装置と前記ウェブパス装置と前記折機は、それぞれ主機盤が接続され、前記複数の主機盤がブロック単位で互いに接続され、前記ブロックごとの前記主機盤に前記コンバータ装置が接続されることを特徴としている。
【００３２】
従って、ブロック単位で接続された主機盤にコンバータ装置を接続することで、ブロック単位での印刷が可能となると共に、ブロック単位での運転停止が可能となり、印刷機の消費電力を効果的に低減することができる。
【００３３】
本発明の印刷機では、前記ウェブパス装置及び前記折機は、複数設けられ、複数の印刷物を印刷可能であることを特徴としている。
【００３４】
従って、同時に複数の印刷物が印刷可能となると共に、１種類の印刷ものだけを印刷する場合、使用していない印刷ユニット、ウェブパス装置、折機の運転を停止することで、印刷機の消費電力を効果的に低減することができる。
【００３５】
本発明の印刷機では、別の印刷機における印刷ユニットと接続可能であることを特徴としている。
【００３６】
従って、印刷機に別の印刷機の印刷ユニットを接続することができ、別の印刷機は、接続されている印刷ユニット以外の装置を停止状態とすることで、印刷機の消費電力を効果的に低減することができる。
【発明の効果】
【００３７】
本発明の電力低減システム及び印刷機によれば、電源部とコンバータ装置と制御装置とを設け、コンバータ装置として、印刷機を運転可能な第１電力を駆動装置に供給する第１電力供給ラインと、第１電力より低い第２電力を駆動装置に供給する第２電力供給ラインと、第１電力供給ラインと第２電力供給ラインを切替える切替装置とを設け、制御装置は、印刷機の運転停止状態に応じて切替装置を制御するようにしている。従って、印刷機の運転停止状態に応じて使用することができる電力を増減することで消費を低減することができる。その結果、簡単な構成で停止中の印刷機が消費する電力を低減することができる。
【図面の簡単な説明】
【００３８】
【図１】図１は、本実施形態の電力低減システムが適用された印刷機を表す概略構成図である。
【図２】図２は、コンバータ装置を表す概略構成図である。
【図３】図３は、電力供給経路切替処理を表すフローチャートである。
【図４】図４は、電力供給経路切替処理を表すタイムチャートである。
【図５】図５は、印刷機の運転停止動作における消費電力を表すグラフである。
【図６】図６は、新聞用オフセット輪転印刷機を表す概略構成図である。
【図７】図７は、電力低減システムが適用された別の印刷機を表す概略構成図である。
【図８】図８は、電力低減システムが適用された別の印刷機を表す概略構成図である。
【図９】図９は、電力低減システムが適用された別の印刷機を表す概略構成図である。
【図１０】図１０は、電力低減システムが適用された別の印刷機を表す概略構成図である。
【図１１】図１１は、印刷機により２種類の印刷物を印刷する形態の概略図である。
【図１２】図１２は、電力低減システムが適用された別の印刷機を表す概略構成図である。
【図１３】図１３は、２台の印刷機により印刷物を印刷する形態を表す概略図である。
【発明を実施するための形態】
【００３９】
以下に添付図面を参照して、本発明に係る電力低減システム及び印刷機の好適な実施形態を詳細に説明する。なお、この実施形態により本発明が限定されるものではなく、また、複数の実施形態がある場合には、各実施形態を組み合わせて構成するものも含むものである。
【００４０】
図６は、新聞用オフセット輪転印刷機を表す概略構成図である。
【００４１】
本実施形態の印刷機は、図６に示すように、新聞用オフセット輪転印刷機１０であって、給紙装置Ｒと、インフィード装置Ｉと、印刷装置Ｕと、ウェブパス装置Ｄと、折機Ｆとから構成されている。給紙装置Ｒは、複数（本実施形態では、６台）の給紙ユニットＲ１〜Ｒ６を有し、インフィード装置Ｉは、複数（本実施形態では、６台）のインフィードユニットＩ１〜Ｉ６を有し、印刷装置Ｕは、複数（本実施形態では、５台）の印刷ユニットＵ１〜Ｕ５を有し、ウェブパス装置Ｄは、１台のウェブパスユニットＤ１を有し、折機Ｆは、１台の折ユニットＦ１を有している。
【００４２】
この場合、印刷ユニットＵ１〜Ｕ５を５台として説明したが、各印刷ユニットＵ１，Ｕ５は、４色刷りが可能であると共に、上下に分割して４台の２色刷りが可能な印刷ユニットＵ１１，Ｕ１２，Ｕ５１，Ｕ５２として用いることができる。また、各印刷ユニットＵ２，Ｕ３，Ｕ４は、２色刷りが可能である。なお、印刷装置Ｕ１，Ｕ５を２つの部分から記載したが、機能上２つに分けて記載しただけであり、実際には、１つの装置となっている。
【００４３】
そして、本実施形態の新聞用オフセット輪転印刷機１０では、図示しない建屋の１階の床面上に給紙ユニットＲ１〜Ｒ６が設置され、２階にインフィードユニットＩ１〜Ｉ６が設置され、２階及び３階に印刷ユニットＵ１〜Ｕ５が設置され、３階から５階にウェブパス装置Ｄが設置され、また、２階、３階に折機Ｆが設置されている。
【００４４】
給紙装置Ｒにおいて、給紙ユニットＲ１〜Ｒ６は、ほぼ同様の構成をなし、ウェブ（印刷媒体）Ｗがロール状に巻かれた３つの巻取紙を保持する保持アーム１１を有し、この保持アーム１１を回動することで、巻取紙を給紙位置に回動することができる。また、この各給紙ユニットＲ１〜Ｒ６には、図示しない紙継装置が設けられており、給紙位置で繰り出されている巻取紙が残り少なくなると、この紙継装置により給紙位置にある巻取紙に対して、待機位置にある巻取紙を紙継することができる。
【００４５】
インフィード装置Ｉにおいて、インフィードユニットＩ１〜Ｉ６は、ほぼ同様の構成をなし、印刷装置Ｕの各印刷ユニットＵ１〜Ｕ５に送り込むウェブＷのテンションを調整することで、印刷装置Ｕを走行するウェブＷのテンションを適正値に安定して維持するようにしている。例えば、各インフィードユニットＩ１〜Ｉ６は、インフィードローラ、紙押えゴムローラ、ダンサローラ、ガイドローラなどを有している。そして、ダンサローラをウェブＷの張り方向に付勢することでウェブＷのテンションを適正にし、このダンサローラの揺動に応じてインフィードローラの周速を変更し、ウェブＷの適正なテンションを維持している。
【００４６】
なお、給紙装置Ｒからインフィード装置ＩまでのウェブＷのテンションは、給紙ユニットＲ１〜Ｒ６に設けられた図示しないブレーキ装置により行っており、給紙装置Ｒに設けられたテンション検出ローラの検出結果に基づいて、このブレーキ装置を制御している。また、印刷装置Ｕの下流側には、駆動源により駆動回転可能なドラグローラ１２が設けられており、このドラグローラ１２の周速やダンサローラの付勢力を制御することで、ウェブＷのテンションを調整している。
【００４７】
印刷装置Ｕにおいて、印刷ユニットＵ１，Ｕ５は、両面４色印刷を行うことができる多色刷印刷ユニットである。但し、各印刷ユニットＵ１，Ｕ５は、上下に分割することで、両面２色印刷を行うことができる印刷ユニットＵ１１，Ｕ１２，Ｕ５１，Ｕ５２とすることができる。各印刷ユニットＵ１１，Ｕ１２，Ｕ２，Ｕ３，Ｕ４，Ｕ５１，Ｕ５２は、ほぼ同様の構成をなし、図示しないが、インキ供給装置、版胴、ブランケット胴などを有している。本実施形態では、各印刷ユニットＵ１〜Ｕ５は、版胴の周長（直径）とブランケット胴の周長（直径）が同じに設定されている。なお、各印刷ユニットＵ１〜Ｕ５にて、版胴の周長（直径）に対して、ブランケット胴の周長（直径）を整数倍に設定してもよい。
【００４８】
ウェブパス装置Ｄにおいて、ウェブパスユニットＤ１は、印刷ユニットＵ１〜Ｕ５に対して設けられている。ウェブパスユニットＤ１は、ウェブＷを縦（ウェブＷの天地長手方向、ウェブＷの搬送方向）に沿ってその幅方向の中央部で裁断するスリッタ、縦裁断したウェブＷの搬送経路を設定するターンバー、ウェブＷにおける天地長手方向における搬送位置を調整するコンペンセータなどを有している。即ち、各印刷ユニットＵ１〜Ｕ５で印刷が施された各ウェブＷは、ウェブパスユニットＤ１にて、スリッタにより縦裁断され、ターンバーにより搬送経路が変更され、コンペンセータにより搬送位置が調整されてから所定の順番に重ね合わされる。
【００４９】
折機Ｆにて、折ユニットＦ１は、操作側または駆動側に配設されている。即ち、ウェブパスユニットＤ１から複数のウェブＷが重ねられて導入されると、折ユニットＦ１は、ウェブＷを縦折りし、所定の長さで横裁断し、横折りして折帖を形成し、新聞として排紙することができる。
【００５０】
従って、本実施形態の新聞用オフセット輪転印刷機１０では、給紙装置Ｒの各給紙ユニットＲ１〜Ｒ５からそれぞれ供給された各ウェブＷは、インフィード装置Ｉの各インフィードユニットＩ１〜Ｉ５によりテンションが調整され、印刷装置Ｕの各印刷ユニットＵ１〜Ｕ５に供給される。この印刷装置Ｕにおける各印刷ユニットＵ１〜Ｕ５にて、各ウェブＷの両面に印刷が施される。そして、各印刷ユニットＵ１〜Ｕ５で印刷が施された各ウェブＷは、ウェブパスユニットＤ１にて、スリッタにより縦裁断され、ターンバーにより搬送経路が変更され、コンペンセータにより搬送位置が調整されてから所定の順番に重ね合わされる。
【００５１】
その後、折機Ｆでは、ウェブパスユニットＤ１から複数のウェブＷ１が重ねられて導入されると、折ユニットＦ１は、ウェブＷ１を縦折りし、所定の長さで横裁断し、横折りして折帖を形成し、新聞として排紙する。
【００５２】
このように構成された本実施形態の新聞用オフセット輪転印刷機１０は、停止中に消費する電力を低減可能とする電力低減システムが適用されている。この電力低減システムは、印刷機１０を運転可能な第１電力を供給する第１電力供給ラインと、電力供給を停止することなく第１電力より低い第２電力を供給する第２電力供給ラインとを有し、印刷機１０の運転停止状態に応じて各電力供給ラインを切替えるものである。
【００５３】
図１は、本実施形態の電力低減システムが適用された印刷機を表す概略構成図、図２は、コンバータ装置を表す概略構成図である。なお、図１にて、実線は、４００Ｖ電力ライン、点線は、補機動力ライン、一点鎖線は、制御信号ラインである。
【００５４】
電力低減システムが適用された新聞用オフセット輪転印刷機１０において、図１に示すように、印刷ユニットＵ１〜Ｕ５は、それぞれ主機盤２１，２２，２３，２４，２５が接続されている。ウェブパスユニットＤ１は、主機盤２６が接続され、折ユニットＦ１は、主機盤２７が接続されている。そして、各主機盤２１〜２７は、主機主幹盤２８に接続されている。主機盤２１〜２７は、印刷ユニットＵ１〜Ｕ５とウェブパスユニットＤ１と折ユニットＦ１への電力を制御するものであり、主機主幹盤２８は、各主機盤２１〜２７を制御するものである。
【００５５】
印刷ユニットＵ１〜Ｕ５は、それぞれ制御盤３１，３２，３３，３４，３５が接続されている。ウェブパスユニットＤ１は、制御盤３６が接続され、折ユニットＦ１は、制御盤３７が接続されている。各制御盤３１〜３７は、印刷ユニットＵ１〜Ｕ５とウェブパスユニットＤ１と折ユニットＦ１へ制御信号を出力して作動を制御するものである。
【００５６】
主機用電源（電源部）４１は、主機システムの受電盤４２、リアクトル盤４３、コンバータ盤（コンバータ装置）４４を介して各主機盤２１〜２７に接続されている。そして、コンバータ盤４４は、主機主幹盤２８に接続されている。主機用電源４１は、３相交流電源であって、ＡＣ４００Ｖの電力を供給可能である。主機システムの受電盤４２は、遮断機及びコンダクタを有し、ＡＣ４００Ｖの電力を出力または遮断可能となっている。リアクトル盤４３は、インダクタを利用した受動素子を有し、高調波電流を阻止するものである。なお、コンバータ盤４４については、後述する。
【００５７】
制御装置５１は、用意ボタン（運転操作ボタン）５２が接続されると共に、主機主幹盤２８、各制御盤３１〜３７が接続されている。制御装置５１は、用意ボタン５２からの運転開始信号を受け、主機主幹盤２８と各制御盤３１〜３７へ制御信号を出力して作動を制御するものである。
【００５８】
従って、主機用電源４１は、電力を受電盤４２、リアクトル盤４３、コンバータ盤４４を介して各主機盤２１〜２７に供給し、各主機盤２１〜２７は、必要な電力を印刷ユニットＵ１〜Ｕ５、ウェブパスユニットＤ１、折ユニットＦ１の各駆動モータ（駆動装置）に供給することができる。
【００５９】
コンバータ盤４４は、上述したように、第１電力供給ラインと第２電力供給ラインとを有すると共に、第１電力供給ラインと第２電力供給ラインを切替える切替装置５３を有している。主機主幹盤２８は、制御装置５１を介して印刷機１０の運転状態を検出する運転監視装置５４が接続されており、各制御盤３１〜３７は、制御装置５１を介して印刷機１０の運転状態を検出する運転監視装置５４が接続されている。そのため、制御装置５１は、主機主幹盤２８から主機の運転状態が入力され、各制御盤３１〜３７から補機の運転状態が入力され、運転監視装置５４は、主機と補機の運転状態に基づいて制御装置５１へ運転停止信号（運転停止状態）を出力し、制御装置５１は、この運転停止信号に基づいて主機主幹盤２８を介して切替装置５３を制御可能となっている。
【００６０】
図１及び図２に示すように、主機用電源４１は、Ｕ相、Ｖ相、Ｗ相の３相巻線からの結線６１ａ，６１ｂ，６１ｃが引き出され、各結線６１ａ，６１ｂ，６１ｃは、リアクトル盤４３を介してコンバータ盤４４に接続されている。コンバータ盤４４は、Ｕ相、Ｖ相、Ｗ相に対応した電源供給回路を有しており、この電源供給ラインとして第１電力供給ラインと第２電力供給ラインが設けられている。
【００６１】
第１電力供給ラインは、スイッチング回路６２ａ，６２ｂ，６２ｃであり、第２電力供給ラインは、ダイオード整流回路６３ａ，６３ｂ，６３ｃである。スイッチング回路６２ａ，６２ｂ，６２ｃは、半導体スイッチング素子としてのＩＧＢＴ（Insulated Gate Bipolar Transistor：絶縁ゲートバイポーラトランジスタ）６４ａ，６４ｂ，６４ｃを有し、ダイオード整流回路６３ａ，６３ｂ，６３ｃは、還流ダイオード６５ａ，６５ｂ，６５ｃを有している。
【００６２】
即ち、スイッチング回路６２ａ，６２ｂ，６２ｃは、それぞれ２つのＩＧＢＴ６４ａ，６４ｂ，６４ｃが直列に接続されて構成され、その間に結線６１ａ，６１ｂ，６１ｃが接続されている。ダイオード整流回路６３ａ，６３ｂ，６３ｃは、スイッチング回路６２ａ，６２ｂ，６２ｃに並列に接続された還流ダイオード６５ａ，６５ｂ，６５ｃにより構成され、その間に結線６１ａ，６１ｂ，６１ｃが接続されている。スイッチング回路６２ａ，６２ｂ，６２ｃ及びダイオード整流回路６３ａ，６３ｂ，６３ｃは、出力側、つまり、Ｐ端子及びＮ端子の間に平滑用コンデンサ６６が接続されている。
【００６３】
切替装置５３は、ＩＧＢＴ６４ａ，６４ｂ，６４ｃに電圧を付与可能な装置であって、切替装置５３がＩＧＢＴ６４ａ，６４ｂ，６４ｃに所定の電圧を付与すると、スイッチング回路６２ａ，６２ｂ，６２ｃがＯＮとなり、切替装置５３がＩＧＢＴ６４ａ，６４ｂ，６４ｃに付与する電圧を０とすると、スイッチング回路６２ａ，６２ｂ，６２ｃがＯＦＦとなる。つまり、切替装置５３がＩＧＢＴ６４ａ，６４ｂ，６４ｃに所定の電圧を付与し、スイッチング回路６２ａ，６２ｂ，６２ｃをＯＮとすると、スイッチング回路６２ａ，６２ｂ，６２ｃに電流が流れて電力を供給可能となり、ダイオード整流回路６３ａ，６３ｂ，６３ｃに電流は流れない。一方、切替装置５３がＩＧＢＴ６４ａ，６４ｂ，６４ｃに付与する電圧を０とし、スイッチング回路６２ａ，６２ｂ，６２ｃをＯＦＦとすると、スイッチング回路６２ａ，６２ｂ，６２ｃに電流が流れず、ダイオード整流回路６３ａ，６３ｂ，６３ｃに電流が流れて電力を供給可能となる。
【００６４】
制御装置５１は、印刷機１０が運転状態であるとき、切替装置５３によりスイッチング回路６２ａ，６２ｂ，６２ｃに切替えることで、このスイッチング回路６２ａ，６２ｂ，６２ｃを通して各主機盤２１〜２７に電力を供給する。一方、制御装置５１は、印刷機が停止状態であるとき、切替装置５３によりダイオード整流回路６３ａ，６３ｂ，６３ｃに切替えることで、このダイオード整流回路６３ａ，６３ｂ，６３ｃを通して各主機盤２１〜２７に電力を供給する。
【００６５】
運転監視装置５４は、各主機盤２１〜２７から主機主幹盤２８を介して印刷機（主機）１０の運転状態（駆動モータの回転数）を検出している。また、運転監視装置５４は、各制御盤３１〜３７から印刷機（補機）１０の運転状態（駆動モータの回転数）を検出している。運転監視装置５４は、主機と補機の運転状態に基づいて運転停止信号を制御装置５１に出力する。制御装置５１は、印刷機１０が停止してから無操作状態が予め設定された所定時間だけ経過したとき、切替装置５３によりスイッチング回路６２ａ，６２ｂ，６２ｃからダイオード整流回路６３ａ，６３ｂ，６３ｃに切替える。無操作状態とは、用意ボタン５２がＯＮされない状態である。
【００６６】
なお、制御装置５１は、切替ボタン５５が接続されており、作業者は、制御装置５１による切替装置５３の切替操作にかかわらず、切替ボタン５５を操作（ＯＮ）することで、スイッチング回路６２ａ，６２ｂ，６２ｃからダイオード整流回路６３ａ，６３ｂ，６３ｃに切替えることができる。
【００６７】
また、制御装置５１は、印刷機１０が停止中で、スイッチング回路６２ａ，６２ｂ，６２ｃからダイオード整流回路６３ａ，６３ｂ，６３ｃに切替えられた状態にあるとき、作業者により用意ボタン５２をＯＮされたら、切替装置５３によりダイオード整流回路６３ａ，６３ｂ，６３ｃからスイッチング回路６２ａ，６２ｂ，６２ｃに切替える。
【００６８】
なお、第１電力とは、印刷機１０を運転可能、つまり、駆動モータを所定の回転速度で駆動可能な電力である。第２電力とは、第１電力より低い電力であって、ダイオード整流回路６３ａ，６３ｂ，６３ｃ（還流ダイオード６５ａ，６５ｂ，６５ｃ）を通して供給する各主機盤２１〜２７の待機に必要な最低レベルの電力である。ここで、この主機盤２１〜２７の待機に必要な最低レベルの電力とは、印刷機１０の停止中であっても、いつでも運転できる状態を維持するため、主機盤２１〜２７内の電子機器を含む制御装置５１に供給されている電圧をキープするためのものである。また、電力消費を抑えるためには、電源を切る（ＯＦＦ）ことが最大の省エネとなるが、電圧の頻繁なＯＮ／ＯＦＦは電子機器にかなりのストレスとなり寿命を縮めてしまう。そのため、本電力を維持することは、電源断時のような大きな電圧変化を防ぎ、電子機器にかかるストレスを軽減し、制御装置５１の寿命を延ばすためにも有効である。
【００６９】
また、切替装置５３によりスイッチング回路６２ａ，６２ｂ，６２ｃからダイオード整流回路６３ａ，６３ｂ，６３ｃに切替えることで、第２電力を印刷機１０に供給するとき、高調波電流が高調波環境目標レベルより低い値としている。即ち、経済産業省は、「高調波抑制対策ガイドライン」を制定し、流出する高調波電流の限度値を示してこれを遵守するように指導している。そのため、電気の環境基準である「高調波環境目標レベル」（６．６ｋＶ配電系統で５％、特別高圧系統で３％）を維持する必要がある。
【００７０】
そして、切替装置５３によりスイッチング回路６２ａ，６２ｂ，６２ｃからダイオード整流回路６３ａ，６３ｂ，６３ｃに切替えることで、第２電力を印刷機１０に供給している間、検出器５６が結線６１ａ，６１ｂ，６１ｃを流れる電流値から高調波電流値を計測し、主機主幹盤２８を介して制御装置５１に出力している。制御装置５１は、高調波電流が高調波環境目標レベル以上となるとき、切替装置５３によりダイオード整流回路６３ａ，６３ｂ，６３ｃからスイッチング回路６２ａ，６２ｂ，６２ｃに切替える。具体的には、制御装置５１は、高調波環境目標レベルより所定値だけ低い高調波環境切替レベルを設定し、高調波電流が高調波環境切替レベルに達すると、切替装置５３によりダイオード整流回路６３ａ，６３ｂ，６３ｃからスイッチング回路６２ａ，６２ｂ，６２ｃに切替える。
【００７１】
なお、コンバータ盤４４及び各主機盤２１〜２７は、内部に補機として冷却器（冷却ファン、循環ファン、クーラ、熱交換器など）４４ａ，２１ａ，２２ａ，２３ａ，２４ａ，２５ａ，２６ａ，２７ａを有している。制御装置５１は、切替装置５３によりダイオード整流回路６３ａ，６３ｂ，６３ｃに切替えられているとき、この冷却器（冷却ファン、循環ファン、クーラ、熱交換器、放熱フィンへの送風機、水冷循環ポンプなど）４４ａ，２１ａ，２２ａ，２３ａ，２４ａ，２５ａ，２６ａ，２７ａの作動を停止（または、能力を低下）する。また、印刷機１０に接続されている補機だけでなく、印刷機１０が設置されている建屋の空調設備の作動を停止するようにしてもよい。
【００７２】
また、印刷機１０の駆動モータの回転を禁止するインターロック装置５７が設けられている。このインターロック装置５７は、各制御盤３１〜３７に接続されており、制御装置５１は、印刷機１０の運転が停止し、ダイオード整流回路６３ａ，６３ｂ，６３ｃを通して第２電力が印刷機１０に供給されているとき、駆動モータの回転指令が入力されたとしても、インターロック装置５７を作動してこの指令を実行しない。なお、本実施形態の新聞用オフセット輪転印刷機１０には、制御装置５１、切替装置５３、運転監視装置５４、インターロック装置５７をそれぞれ設けたが、本実施形態の機能を果たせば、これらはその他の装置の中に含めてもよい。
【００７３】
ここで、本実施形態の新聞用オフセット輪転印刷機１０にて、停止中における電力供給経路切替処理方法について詳細に説明する。図３は、電力供給経路切替処理を表すフローチャート、図４は、電力供給経路切替処理を表すタイムチャートである。なお、ここで、主機とは、各主機盤２１〜２７、主機主幹盤２８、主機用電源４１、受電盤４２、リアクトル盤４３、コンバータ盤４４、切替装置５３などを有する側であり、補機とは、印刷ユニットＵ１〜Ｕ５、ウェブパスユニットＤ１、折ユニットＦ１、各制御盤３１〜３６、用意ボタン５２、切替ボタン５５などを有する側である。
【００７４】
印刷機１０における電力供給経路切替処理において、図１及び図３に示すように、ステップＳ１１にて、制御装置５１は、印刷機１０の運転が停止しているかどうかを判定する。印刷機１０の運転停止状態は、運転監視装置５４の検出結果に基づいて判定される。ここで、印刷機１０が運転されていると判定（Ｎｏ）されたら、何もしないでこのルーチンを抜ける。
【００７５】
一方、印刷機１０の運転が停止していると判定（Ｙｅｓ）されたら、ステップＳ１２にて、制御装置５１は、補機側にて、印刷機１０が停止してから所定時間（本実施形態では、１５分）の間、用意ボタン５２による操作が無いかどうかを判定する。ここで、印刷機１０が停止してから所定時間の間に用意ボタン５２による操作があると判定（Ｎｏ）されたら、何もしないでこのルーチンを抜ける。なお、この所定時間（１５分）は、変更可能である。
【００７６】
一方、印刷機１０が停止してから所定時間の間に用意ボタン５２による操作が無いと判定（Ｙｅｓ）されたら、ステップＳ１３にて、主機側から補機側に向けてスイッチング停止（切替）可能信号がＯＮにされたかどうかを判定する。ここで、スイッチング停止（切替）可能信号がＯＮにされるまで待機状態（Ｎｏ）となる。そして、スイッチング停止（切替）可能信号がＯＮにされたと判定（Ｙｅｓ）されたら、ステップＳ１４にて、補機側から主機側に向けてコンバータスイッチング停止信号がＯＮされる。
【００７７】
そして、ステップＳ１５にて、主機側にて、コンバータスイッチングを停止する。即ち、切替装置５３によりコンバータ盤４４のスイッチング回路６２ａ，６２ｂ，６２ｃを停止し、ダイオード整流回路６３ａ，６３ｂ，６３ｃに切替える。その後、ステップＳ１６にて、主機側から補機側に向けて、コンバータスイッチング停止実施中信号がＯＮされ、ステップＳ１７にて、補機側は、コンバータスイッチング停止状態を「異常停止」と表示する。
【００７８】
すると、主機用電源４１は、第２電力を主機システムの受電盤４２、リアクトル盤４３、コンバータ盤４４を介して各主機盤２１〜２７に供給可能となる。そのため、印刷機１０が停止しており、低レベルの第２電力が供給されることから、省電力化が可能となる。また、第２電力が低レベルであることから、高調波電流の発生が抑制される。
【００７９】
ステップＳ１８にて、制御装置５１は、補機側の用意ボタン５２が操作（ＯＮ）されたかどうかを判定する。ここで、用意ボタン５２が操作（ＯＮ）されていないと判定（Ｎｏ）されたら、印刷機１０の停止状態が継続される。一方、用意ボタン５２が操作（ＯＮ）されたと判定（Ｙｅｓ）されたら、ステップＳ１９にて、補機側から主機側に向けて、コンバータスイッチング停止指令信号がＯＦＦされる。そして、ステップＳ２０にて、主機側は、コンバータスイッチングを開始し、ステップＳ２１にて、主機側から補機側に向けて、コンバータスイッチング停止実施中信号がＯＦＦされ、ステップＳ２２にて、補機側は、コンバータスイッチング停止表示をＯＦＦとし、ステップＳ２３にて、補機側から主機側に向けては、異常の状態をリセットする。
【００８０】
なお、ステップＳ１８にて、補機側の用意ボタン５２が操作（ＯＮ）されたと判定（Ｙｅｓ）されたら、ステップＳ２４にて、警報を所定時間（本実施形態では、２秒）鳴動し、この間、インターロック装置５７により用意ボタン５２による指令を受付けない。
【００８１】
ステップＳ２５にて、補機側で異常項目が無いかどうかを判定する。ここで、異常項目があると判定（Ｎｏ）されたら、ステップＳ２６にて、補機側にて、異常リセット操作を行う。一方、異常項目が無いと判定（Ｙｅｓ）されたら、ステップＳ２７にて、補機側にて、印刷機１０の運転操作（駆動モータの駆動）を可能とする。その後、再び、用意ボタン５２が操作されれば、印刷機１０の運転が開始される。
【００８２】
また、印刷機１０における電力供給経路切替処理において、図１及び図４に示すように、時間ｔ１にて、印刷機１０の運転が停止すると、所定時間（例えば、５秒〜１０秒）経過した時間ｔ２にて、主機側から補機側に向けてスイッチング停止（切替）可能信号がＯＮにされる。一方、印刷機１０が停止してから所定時間（例えば、１５分）に用意ボタン５２による操作が無いと、時間ｔ３にて、補機側から主機側に向けてコンバータスイッチング停止指令信号がＯＮされ、主機側にて、コンバータスイッチングを停止されることで、切替装置５３によりコンバータ盤４４のスイッチング回路６２ａ，６２ｂ，６２ｃからダイオード整流回路６３ａ，６３ｂ，６３ｃに切替えられる。また、このとき、用意ボタン５２の操作が受け入れられなくなる。
【００８３】
なお、上述した図３のフローチャートの説明では、ステップＳ１２にて、印刷機１０が停止してから所定時間（例えば、１５分）に用意ボタン５２による操作が無いと、ステップＳ１３にて、主機側から補機側に向けてスイッチング停止（切替）可能信号をＯＮすると説明した。しかし、実際には、ステップＳ１２の処理とステップＳ１３の処理は、並行して実施されるものであり、先にステップＳ１３の処理が実行される。
【００８４】
続いて、時間ｔ４にて、主機側から補機側に向けて、コンバータスイッチング停止実施中信号がＯＮされ、時間ｔ５にて、補機側は、コンバータスイッチング停止状態を「異常停止」と表示する。ここで、主機用電源４１は、第２電力を主機システムの受電盤４２、リアクトル盤４３、コンバータ盤４４を介して各主機盤２１〜２７に供給可能となる。
【００８５】
その後、時間ｔ６にて、用意ボタン５２が操作されると、補機側から主機側に向けて、コンバータスイッチング停止指令信号がＯＦＦされ、補機側にて、コンバータスイッチング停止表示がＯＦＦされ、主機側は、コンバータスイッチングを開始し、補機側から主機側に向けて異常リセット信号をＯＮとし、警報を所定時間（本実施形態では、２秒）鳴動する。続いて、時間ｔ７にて、コンバータスイッチング停止実施中信号がＯＦＦとされる。時間Ｔ８にて、補機側にて、コンバータスイッチングの表示がＯＦＦされる。そして、時間Ｔ９にて、印刷機１０の運転が可能となり、主機側から補機側に向けてスイッチング停止（切替）可能信号がＯＦＦされ、異常リセット信号がＯＦＦされ、用意ボタン５２の受付を開始し、補機側にて、警報が停止する。
【００８６】
なお、第２電力とは、第１電力より低い電力であって、ダイオード整流回路６３ａ，６３ｂ，６３ｃ（還流ダイオード６５ａ，６５ｂ，６５ｃ）を通して供給する各主機盤２１〜２７の待機に必要な最低レベルの電力としたが、この構成に限定されるものではない。例えば、第２電力を印刷機１０の印刷準備作業に必要な最低レベルの電力とすることも可能である。印刷準備作業とは、例えば、版交換作業や各種のメンテナンス作業であり、このとき、各胴や各ローラを緩動速度で回転する必要から、この場合の第２電力とは、駆動モータを緩動転速度で駆動可能な電力である。還流ダイオードが印刷機の印刷準備作業に必要な最低レベル電力を出力することで、印刷機の待機電力を低減することができると共に、印刷機の停止時であっても、印刷機のメンテナンス作業を実施することができる。
【００８７】
次に、本実施形態の新聞用オフセット輪転印刷機１０にて、電力低減システムによる効果について詳細に説明する。図５は、印刷機の運転停止動作における消費電力を表すグラフである。
【００８８】
印刷機１０の運転速度が低下する運転中は、消費電力が時間ｔ１まで低下する。そして、時間ｔ１から時間ｔ３までの印刷機１０が停止して第２電力への切り替え時（ｔ１１）は、消費電力が一定となる。ここで、コンバータ盤４４にて、電力供給経路がスイッチング回路６２ａ，６２ｂ，６２ｃからダイオード整流回路６３ａ，６３ｂ，６３ｃに切替えられることで、時間ｔ３から時間ｔ６までの間（ｔ１２）は、消費電力が低下する。スイッチング回路６２ａ，６２ｂ，６２ｃからダイオード整流回路６３ａ，６３ｂ，６３ｃに切替えられたことでの電力の省エネ量は、Ｑとなる。その後、時間ｔ６にて、用意ボタン５２が操作されることで、第１電力に切り替わる。ここで、コンバータ盤４４にて、電力供給経路がダイオード整流回路６３ａ，６３ｂ，６３ｃからスイッチング回路６２ａ，６２ｂ，６２ｃに切替えられる。このとき、時間ｔ６から時間ｔ９は、第１電力供給中であるが、印刷機１０は停止しているため消費電力は一定となる。また、時間ｔ９以降は、印刷機１０の運転速度が上昇するため消費電力が上昇する。
【００８９】
このように本実施形態の電力低減システムにあっては、主機用電源４１と、主機用電源４１と各ユニットＵ１〜Ｕ５、ウェブパスユニットＤ１、折ユニットＦ１の主機盤２１〜２７との間に設けられるコンバータ盤４４と、コンバータ盤４４を制御する制御装置５１とを設け、コンバータ盤４４として、印刷機１０を運転可能な第１電力を供給する第１電力供給ラインと、コンバータ盤４４から主機盤２１〜２７への電力を切断することなく第１電力より低い第２電力を供給する第２電力供給ラインと、第１電力供給ラインと第２電力供給ラインを切替える切替装置５３とを設け、制御装置５１は、印刷機１０の運転停止状態に応じて切替装置５３を制御している。
【００９０】
従って、印刷機１０の運転停止状態に応じて使用することができる電力を増減することで消費電力を低減することができる。その結果、簡単な構成で停止中の印刷機が消費する電力を低減することができる。
【００９１】
本実施形態の電力低減システムでは、印刷機１０の運転状態と停止状態を検出する印刷機の運転停止監視装置５４を設け、制御装置５１は、印刷機１０が停止状態であるとき、切替装置５３により第１電力供給ラインから第２電力供給ラインに切替える。従って、印刷機が停止しているとき、供給電力が低い第２電力供給ラインに切替えることで、印刷機１０の待機電力を低減することができる。
【００９２】
本実施形態の電力低減システムでは、制御装置５１は、印刷機１０が停止してから無操作状態が予め設定された所定時間だけ経過したとき、切替装置５３により第２電力供給ラインに切替えている。作業者が印刷機１０の運転停止状態を判断する必要はなく、自動的に第２電力供給ラインに切替えることで、作業性を向上することができる。
【００９３】
本実施形態の電力低減システムでは、制御装置５１は、印刷機１０の用意ボタン５２がＯＮされたとき、切替装置５３により第１電力供給ラインに切替えている。従って、用意ボタンがＯＮされると、第１電力供給ラインに切替えることで、印刷機１０を運転可能な第１電力に容易に復帰させることができる。
【００９４】
本実施形態の電力低減システムでは、印刷機１０の運転を禁止するインターロック装置５７を設け、制御装置５１は、第２電力供給ラインに切替えられているとき、インターロック装置５７を作動している。従って、印刷機１０が停止して第２電力供給ラインに切替えられているとき、インターロック装置５７により印刷機１０の駆動を禁止するため、急激な電力消費を抑制して高調波電流の発生を抑制することができる。
【００９５】
本実施形態の電力低減システムでは、第１電力供給ラインとして、半導体スイッチング素子を構成するＩＧＢＴ６４ａ，６４ｂ，６４ｃを有するスイッチング回路６２ａ，６２ｂ，６２ｃを設け、第２電力供給ラインとして、還流ダイオード６５ａ，６５ｂ，６５ｃを有するダイオード整流回路６３ａ，６３ｂ，６３ｃを設けている。従って、簡単な構成でスイッチング回路とブリッジ回路を構成することができ、低コスト化を可能とすることができると共に、高調波電流の発生を抑制することができる。
【００９６】
本実施形態の電力低減システムでは、コンバータ盤４４は、還流ダイオード６５ａ，６５ｂ，６５ｃを通して印刷機１０のいつでも運転可能な状態を維持するために必要な第２電力としての最低レベル電力を出力可能としている。従って、印刷機１０の待機電力を低減することができる。
【００９７】
本実施形態の電力低減システムでは、印刷機１０に第２電力供給ラインを通して第２電力を供給するとき、高調波電流が高調波環境目標レベルより低い値としている。従って、印刷機１０の停止時に発生する高調波電流を抑制することができる。
【００９８】
本実施形態の電力低減システムでは、切替装置５３は、高調波電流が高調波環境目標レベル以上となるとき、第２電力供給ラインから第１電力供給ラインに切替える。従って、コンバータ盤４４により高調波電流の発生を抑制することができる。
【００９９】
本実施形態の電力低減システムでは、制御装置５１は、切替装置５３により第２電力供給ラインに切替えられているとき、印刷機１０に接続されている主機（主機盤２１〜２７、主機主幹盤２８、主機用電源４１、受電盤４２、リアクトル盤４３、コンバータ盤４４、切替装置５３や補機（印刷ユニットＵ１〜Ｕ５、ウェブパスユニットＤ１、折ユニットＦ１、各制御盤３１〜３６、用意ボタン５２、切替ボタン５５）の作動を制限している。従って、印刷機１０の待機電力を含めた消費電力の発生を抑制することができる。
【０１００】
また、本実施形態の印刷機にあっては、ウェブＷに対して印刷を行う複数の印刷ユニットＵ１〜Ｕ５を有する印刷装置Ｕと、印刷後の複数のウェブＷを重ね合せて搬送するウェブパス装置Ｄと、重ね合せられた複数のウェブＷを折り畳む折機Ｆと、上述した電力低減システムとを有している。
【０１０１】
従って、印刷機が停止しているとき、供給電力が低い第２電力供給ラインに切替えることで、印刷機１０の待機電力を低減することができる。
【０１０２】
なお、上述した実施形態の新聞用オフセット輪転印刷機１０は、給紙ユニットＲ１〜Ｒ６を有する給紙装置Ｒと、インフィードユニットＩ１〜Ｉ６を有するインフィード装置Ｉと、印刷ユニットＵ１〜Ｕ５を有する印刷装置Ｕと、ウェブパスユニットＤ１を有するウェブパス装置Ｄと、折ユニットＦ１を有する折機Ｆとから構成されている。そして、印刷ユニットＵ１〜Ｕ５は、主機盤２１，２２，２３，２４，２５が接続され、ウェブパスユニットＤ１は、主機盤２６が接続され、折ユニットＦ１は、主機盤２７が接続され、主機用電源（電源部）４１が主機システムの受電盤４２、リアクトル盤４３、コンバータ盤（コンバータ装置）４４を介して各主機盤２１〜２７に接続されている。
【０１０３】
本実施形態の電力低減システムは、この構成の印刷機だけに適用されるものではない。図７から図１３は、本実施形態の電力低減システムが適用された別の印刷機を表す概略構成図である。
【０１０４】
図７に示すように、新聞用オフセット輪転印刷機１００は、前述の実施形態と同様に、印刷装置Ｕとウェブパス装置Ｄと折機Ｆとから構成されている。そして、印刷ユニットＵ１〜Ｕ５は、主機盤２１，２２，２３，２４，２５が接続され、ウェブパスユニットＤ１は、主機盤２６が接続され、折ユニットＦ１は、主機盤２７が接続されているが、各主機盤２１〜２７に対して複数（個々では、２つ）のコンバータ盤（コンバータ装置）１０１，１０２が接続されている。なお、図示しないが、各コンバータ盤１０１，１０２は、リアクトル盤、主機システムの受電盤、主機用電源（電源部）が接続されている。
【０１０５】
この新聞用オフセット輪転印刷機１００にて、各コンバータ盤１０１，１０２は、前述した実施形態と同様に、印刷機１００を運転可能な第１電力を供給する第１電力供給ライン（スイッチング回路６２ａ，６２ｂ，６２ｃ）と、第１電力より低い第２電力を供給する第２電力供給ライン（ダイオード整流回路６３ａ，６３ｂ，６３ｃ）とを有し、制御装置５１は、切替装置５３により第１電力供給ラインと第２電力供給ラインを切替可能としている。
【０１０６】
従って、印刷機１００が停止しているとき、供給電力が低い第２電力供給ラインに切替えることで、印刷機１００の待機電力を低減することができる。また、各主機盤２１〜２７に対して複数のコンバータ盤１０１，１０２が接続されることで、１つのコンバータ盤１０１，１０２の容量が小さいものであっても、２つのコンバータ盤１０１，１０２を用いることで、容量不足を補うことができる。更に、コンバータ盤１０１，１０２の一方が故障した場合、他方を用いることで、印刷機１００に電力を供給することができ、コンバータ盤１０１，１０２にバックアップ機能を確保して安全性を向上することができる。
【０１０７】
また、図８に示すように、新聞用オフセット輪転印刷機１１０は、前述の実施形態と同様に、印刷装置Ｕとウェブパス装置Ｄと折機Ｆとから構成されている。そして、印刷ユニットＵ１〜Ｕ５は、主機盤２１，２２，２３，２４，２５が接続され、ウェブパスユニットＤ１は、主機盤２６が接続され、折ユニットＦ１は、主機盤２７が接続されているが、各主機盤２１，２２に対してコンバータ盤（コンバータ装置）１１３が接続され、各主機盤２３，２４，２６に対してコンバータ盤１１２が接続され、各主機盤２５，２７に対してコンバータ盤（コンバータ装置）１１１が接続されている。即ち、複数の主機盤２１〜２７がブロック単位で互いに接続され、ブロックごとの主機盤２１〜２７にコンバータ盤１１１，１１２，１１３が接続されている。なお、図示しないが、各コンバータ盤１１１，１１２，１１３は、リアクトル盤、主機システムの受電盤、主機用電源（電源部）が接続されている。
【０１０８】
この新聞用オフセット輪転印刷機１１０にて、各コンバータ盤１１１，１１２，１１３は、前述した実施形態と同様に、印刷機１１０を運転可能な第１電力を供給する第１電力供給ライン（スイッチング回路６２ａ，６２ｂ，６２ｃ）と、第１電力より低い第２電力を供給する第２電力供給ライン（ダイオード整流回路６３ａ，６３ｂ，６３ｃ）とを有し、制御装置５１は、切替装置５３により第１電力供給ラインと第２電力供給ラインを切替可能としている。
【０１０９】
従って、印刷機１１０が停止しているとき、供給電力が低い第２電力供給ラインに切替えることで、印刷機１１０の待機電力を低減することができる。また、ブロック単位で接続された主機盤２１〜２７にコンバータ盤１１１，１１２，１１３が接続されることで、ブロック単位での印刷作業や折り畳み作業が可能となると共に、ブロック単位での各ユニットの停止が可能となり、印刷機１１０の消費電力を効果的に低減することができる。
【０１１０】
また、図９に示すように、新聞用オフセット輪転印刷機１２０は、印刷ユニットＵ１〜Ｕ１０を有する印刷装置Ｕと、ウェブパスユニットＤ１，Ｄ２を有するウェブパス装置Ｄと、折ユニットＦ１，Ｆ２を有する折機Ｆとから構成されている。そして、印刷ユニットＵ１〜Ｕ１０は、主機盤１２１，１２２，１２３，１２４，１２５，１２６，１２７，１２８，１２９，１３０が接続され、ウェブパスユニットＤ１，Ｄ２は、主機盤１３１，１３２が接続され、折ユニットＦ１，Ｆ２は、主機盤１３３，１３４が接続されている。そして、各主機盤１２１〜１３４に対してコンバータ盤（コンバータ装置）１３５が接続されている。即ち、印刷機１２０は、印刷機２台分のユニットに対して１つのコンバータ盤１３５が接続されている。なお、図示しないが、各コンバータ盤１３５は、リアクトル盤、主機システムの受電盤、主機用電源（電源部）が接続されている。
【０１１１】
この新聞用オフセット輪転印刷機１２０にて、各コンバータ盤１３５は、前述した実施形態と同様に、印刷機１２０を運転可能な第１電力を供給する第１電力供給ライン（スイッチング回路６２ａ，６２ｂ，６２ｃ）と、第１電力より低い第２電力を供給する第２電力供給ライン（ダイオード整流回路６３ａ，６３ｂ，６３ｃ）とを有し、制御装置５１は、切替装置５３により第１電力供給ラインと第２電力供給ラインを切替可能としている。
【０１１２】
従って、印刷機１２０が停止しているとき、供給電力が低い第２電力供給ラインに切替えることで、印刷機１２０の待機電力を低減することができる。このとき、１つのコンバータ盤１３５により印刷機２台分のユニットに電力を供給することができ、装置の低コスト化及びコンパクト化を可能とすることができると共に、作業性を向上することができる。また、印刷機２台分のユニットを有することから、同時に複数種類の印刷物を印刷することができる。
【０１１３】
また、図１０に示すように、新聞用オフセット輪転印刷機１４０は、印刷ユニットＵ１〜Ｕ５を有する印刷装置Ｕと、ウェブパスユニットＤ１，Ｄ２を有するウェブパス装置Ｄと、折ユニットＦ１，Ｆ２を有する折機Ｆとから構成されている。そして、印刷ユニットＵ１〜Ｕ５は、主機盤２１，２２，２３，２４，２５が接続され、ウェブパスユニットＤ１，Ｄ２は、主機盤２６（アンプ２６ａ，２６ｂ）が接続され、折ユニットＦ１，Ｆ２は、主機盤２７（アンプ２７ａ，２７ｂ）が接続されている。そして、各主機盤２１〜２７に対してコンバータ盤（コンバータ装置）１４１が接続されている。なお、図示しないが、各コンバータ盤１４１は、リアクトル盤、主機システムの受電盤、主機用電源（電源部）が接続されている。
【０１１４】
この新聞用オフセット輪転印刷機１４０にて、各コンバータ盤１４１は、前述した実施形態と同様に、印刷機１４０を運転可能な第１電力を供給する第１電力供給ライン（スイッチング回路６２ａ，６２ｂ，６２ｃ）と、第１電力より低い第２電力を供給する第２電力供給ライン（ダイオード整流回路６３ａ，６３ｂ，６３ｃ）とを有し、制御装置５１は、切替装置５３により第１電力供給ラインと第２電力供給ラインを切替可能としている。
【０１１５】
従って、印刷機１４０が停止しているとき、供給電力が低い第２電力供給ラインに切替えることで、印刷機１４０の待機電力を低減することができる。また、図１１に示すように、印刷ユニットＵ１，Ｕ３，Ｕ４とウェブパスユニットＤ１と折ユニットＦ１を１ブロックとし、印刷ユニットＵ２，Ｕ５とウェブパスユニットＤ２と折ユニットＦ２を１ブロックとして制御することができる。なお、これらのブロックは自由に組み替えが可能である。そのため、同時に絵柄やページ数や部数などが異なる複数種類の印刷物を印刷することができると共に、使用していないブロック側のユニットの運転を停止することで、印刷機１４０の消費電力を効果的に低減することができる。
【０１１６】
また、図１２に示すように、新聞用オフセット輪転印刷機１５０Ａは、印刷ユニットＵ１〜Ｕ５を有する印刷装置Ｕと、ウェブパスユニットＤ１を有するウェブパス装置Ｄと、折ユニットＦ１を有する折機Ｆとから構成されている。そして、印刷ユニットＵ１〜Ｕ５は、主機盤２１，２２，２３，２４，２５が接続され、ウェブパスユニットＤ１は、主機盤２６が接続され、折ユニットＦ１は、主機盤２７が接続され、各主機盤２１〜２７にコンバータ盤（コンバータ装置）１５１が接続されている。なお、図示しないが、各コンバータ盤１５１は、リアクトル盤、主機システムの受電盤、主機用電源（電源部）が接続されている。
【０１１７】
新聞用オフセット輪転印刷機１５０Ｂは、印刷ユニットＵ１〜Ｕ５を有する印刷装置Ｕと、ウェブパスユニットＤ１，Ｄ２を有するウェブパス装置Ｄと、折ユニットＦ１を有する折機Ｆとから構成されている。そして、印刷ユニットＵ１〜Ｕ５は、主機盤２１，２２，２３，２４，２５が接続され、ウェブパスユニットＤ１，Ｄ２は、主機盤２６（アンプ２６ａ，２６ｂ）が接続され、折ユニットＦ１は、主機盤２７が接続され、各主機盤２１〜２７にコンバータ盤（コンバータ装置）１５２が接続されている。なお、図示しないが、各コンバータ盤１５２は、リアクトル盤、主機システムの受電盤、主機用電源（電源部）が接続されている。
【０１１８】
この新聞用オフセット輪転印刷機１５０Ａ，１５０Ｂにて、各コンバータ盤１５１，１５２は、前述した実施形態と同様に、印刷機１５０Ａ，１５０Ｂを運転可能な第１電力を供給する第１電力供給ライン（スイッチング回路６２ａ，６２ｂ，６２ｃ）と、第１電力より低い第２電力を供給する第２電力供給ライン（ダイオード整流回路６３ａ，６３ｂ，６３ｃ）とを有し、制御装置５１は、切替装置５３により第１電力供給ラインと第２電力供給ラインを切替可能としている。
【０１１９】
従って、印刷機１５０Ａ，１５０Ｂが停止しているとき、供給電力が低い第２電力供給ラインに切替えることで、印刷機１５０Ａ，１５０Ｂの待機電力を低減することができる。また、図１３に示すように、印刷機１５０Ａに印刷機１５０Ｂの印刷ユニットＵ１とウェブパスユニットＤ１を接続することで、印刷機１５０Ａは、１つの印刷ユニットＵ１を加えた形態で、頁数を増加させた印刷物を印刷することができる。そして、このとき、接続されている印刷ユニット以外の装置を停止状態とすることで、印刷機１５０Ｂの消費電力を効果的に低減することができる。
【０１２０】
また、上述した実施形態では、本発明の印刷機を新聞用オフセット輪転印刷機に適用して説明したが、商業用オフセット輪転印刷機やオフセット枚葉印刷機などに適用してもよく、この場合、両面印刷機であっても、片面印刷機であってもよい。
【符号の説明】
【０１２１】
Ｒ  給紙装置
Ｒ１〜Ｒ６  給紙ユニット
Ｉ  インフィード装置
Ｉ１〜Ｉ６  インフィードユニット
Ｕ  印刷装置
Ｕ１〜Ｕ５  印刷ユニット
Ｄ  ウェブパス装置
Ｄ１  ウェブパスユニット
Ｆ  折機
Ｆ１  折ユニット
２１，２２，２３，２４，２５，２６，２７  主機盤
２８  主機主幹盤
３１，３２，３３，３４，３５，３６，３７  制御盤
４１  主機用電源（電源部）
４２  受電盤
４３  リアクトル盤
４４  コンバータ盤（コンバータ装置）
５１  制御装置
５２  用意ボタン
５３  切替装置
５４  運転監視装置
５５  切替ボタン
５６  検出器
５７  インターロック装置
６１ａ，６１ｂ，６１ｃ  結線
６２ａ，６２ｂ，６２ｃ  スイッチング回路
６３ａ，６３ｂ，６３ｃ  ダイオード整流回路
６４ａ，６４ｂ，６４ｃ  ＩＧＢＴ（半導体スイッチング素子）
６５，６５ｂ，６５ｃ  還流ダイオード
【図１】
2015082934.tif 000003
【図２】
2015082934.tif 000004
【図３】
2015082934.tif 000005
【図４】
2015082934.tif 000006
【図５】
2015082934.tif 000007
【図６】
2015082934.tif 000008
【図７】
2015082934.tif 000009
【図８】
2015082934.tif 000010
【図９】
2015082934.tif 000011
【図１０】
2015082934.tif 000012
【図１１】
2015082934.tif 000013
【図１２】
2015082934.tif 000014
【図１３】
2015082934.tif 000015